(57)【特許請求の範囲】
【請求項１】
エジェクタ、気液分離器、及び循環ポンプを少なくとも配管結合してなる気体、液体及びそれらの混合体の循環路と、前記エジェクタと復水器とを接続する吸気路と、前記気液分離器と外部とを接続する排気路とにより構成され、前記復水器から前記吸気路を介して前記循環路内に取り込んだ気体を、前記排気路を経由して外部に排出することで前記復水器内を真空とする真空ポンプ装置にあって、
前記エジェクタのディフューザの外側にヒータ装置を配すると共に、このヒータ装置は電源を投入することで加熱され、
前記電源から前記ヒータ装置に電気を供給する各電線は、前記ヒータ装置から引き出される電線の分線と前記電源から引き出される電線の分線とを接続して構成されたものとし、
前記ヒータ装置から引き出される電線の分線を、銅線をテフロン（登録商標）から成るシースで収納した断熱ケーブルとし、前記電源から引き出される電線の分線を、銅線をビニルから成る絶縁体で覆った絶縁電線とすると共に、
前記ヒータ装置から引き出される電線の分線たる断熱ケーブルと前記電源から引き出される電線の分線たる絶縁電線との接続を露出ボックス内で行うことを特徴とする真空ポンプ装置用ヒータの配線構造。
【請求項２】
前記ヒータ装置から引き出される電線の分線たる断熱ケーブルと前記電源から引き出される電線の分線たる絶縁電線との前記露出ボックス内での接続は、
前記断熱ケーブルを内部に挿入するための挿入孔と、前記絶縁電線を内部に挿入するための挿入孔と、その内部の壁面から内側に向けて突出形成された２つの接続端子とを有する露出ボックスを用い、
前記断熱ケーブルを前記露出ボックス内に前記挿入孔から挿入すると共に前記絶縁電線を前記露出ボックス内に前記挿入孔から挿入して、前記断熱ケーブルの端部に設けられた圧着端子を前記接続端子に外挿すると共に、前記絶縁電線の端部に設けられた圧着端子を前記接続端子に外挿した後、
これらの圧着端子を、予め外挿されていたナットと最後に外挿されるナットとにより、前記接続端子の軸方向にて挟持されて固定されることにより行われることを特徴とする請求項１に記載の真空ポンプ装置用ヒータの配線構造。
【発明の詳細な説明】
【技術分野】
【０００１】
この発明は、例えば復水器内を真空にするための真空ポンプ装置に対し、当該真空ポンプ装置を構成するエジェクタのディフューザを加熱するヒータ装置に電気を供給する配線構造に関するものである。
【背景技術】
【０００２】
蒸気タービン復水器から空気を抽出する復水器真空ポンプシステムにおいて、この復水器に付属する空気エゼクタの凍結防止を図るために、ディフューザの外面をディフューザヒータで覆い、ディフューザヒータの電源を投入することでディフューザヒータが加熱してディフューザを温める構造については既に公知となっている（例えば、特許文献１を参照。）。そして、このようなディフューザヒータを用いる場合に、ディフューザヒータに電気を供給するための電線が破断してしまう可能性についても、上記特許文献１で指摘されている。
【０００３】
もっとも、ディフューザヒータに電気を供給するための配線構造については、特許文献１では詳細に示されていないので、その一般的な配線構造を本願の図６を用いて説明すると、ディフューザヒータ１００と電源１０１とを接続する電線は殆どの領域において一本の断熱ケーブル１０２、１０３が利用されている。そして、ディフューザヒータ１００と断熱ケーブル１０２、１０３とは圧着端子１０４、１０４を介して接続されている。
【特許文献１】特開２００２−７１２７９号公報
【発明の開示】
【発明が解決しようとする課題】
【０００４】
しかしながら、上記のようなディフューザヒータに電気を供給するための配線構造とした場合には、ディフューザヒータ１００からの熱が圧着端子１０４、１０４を介して断熱ケーブル１０２、１０３まで伝達されてしまい、断熱ケーブル１０２、１０３に熱応力が加わって断線することがあるところ、かかる場合には、断熱ケーブル１０２、１０３は各々一本のものであるので、一体的に廃棄、交換しなければならず、交換コストが高くなるという不具合があった。
【０００５】
この点、特許文献１に示すように、ディフューザヒータ自体を無くし、真空ポンプで昇温された水を、空気エゼクタ全体を覆う密封容器状のジャケット内に注入して、これによりディフューザの保温を行うことも考えられている。このような復水器真空ポンプシステムによれば、破損した断熱ケーブルを交換する必要性自体が無くなるので、断熱ケーブルの交換コストの問題は解消される。しかしながら、特許文献１では、既存の真空ポンプシステムに対しジャケットの追加等、大幅な改良を施す必要があり、改良のためのコストの方が断熱ケーブルの複数回の交換コストと比較しても相対的に高くなる虞れがあるという不都合を有する。
【０００６】
そこで、本発明は、真空ポンプ装置に対しディフューザヒータを備えるという既存の構成を維持しながら、簡易な改良を施すだけで、断熱ケーブルに熱応力が加わって破断しても、当該断熱ケーブルの交換コストの相対的な削減を図った真空ポンプ装置用ヒータの配線構造を提供することを目的とする。
【課題を解決するための手段】
【０００７】
本発明に係る真空ポンプ装置用ヒータの配線構造は、エジェクタ、気液分離器、及び循環ポンプを少なくとも配管結合してなる気体、液体及びそれらの混合体の循環路と、前記エジェクタと復水器とを接続する吸気路と、前記気液分離器と外部とを接続する排気路とにより構成され、前記復水器から前記吸気路を介して前記循環路内に取り込んだ気体を、前記排気路を経由して外部に排出することで前記復水器内を真空とする真空ポンプ装置にあって、前記エジェクタのディフューザの外側にヒータ装置を配すると共に、このヒータ装置は電源を投入することで加熱され、前記電源から前記ヒータ装置に電気を供給する各電線は、前記ヒータ装置から引き出される電線の分線と前記電源から引き出される電線の分線とを接続して構成されたものとし、前記ヒータ装置から引き出される電線の分線を、銅線をテフロン（登録商標）から成るシースで収納した断熱ケーブルとし、前記電源から引き出される電線の分線を、銅線をビニルから成る絶縁体で覆った絶縁電線とすると共に、前記ヒータ装置から引き出される電線の分線たる断熱ケーブルと前記電源から引き出される電線の分線たる絶縁電線との接続を露出ボックス内で行うことを特徴とするものである（請求項１）。
【０００８】
従って、ヒータ装置から引き出された各電線に対し、ヒータ装置から熱が伝達されて熱応力により断線しても、取り替える必要があるのは、当該ヒータから引き出される電線の分線のみで済み、電源から引き出される電線の分線は交換しなくても良い。尚、吸気路の途上には復水器から吸い出される空気量を調整するための入力弁を有していても良い。
【０００９】
また、断熱ケーブルは、例えば銅線をテフロン（登録商標）から成るシースで収納するものであり、絶縁電線には、例えばＩＶ線（６００Ｖビニル絶縁電線）が用いられるので、ヒータ装置に近い電線の分線について断熱性を維持しつつ電線全体としては高価な断熱ケーブルの割合を小さくすることができ、コスト削減をより一層図ることができる。
【００１０】
更に、電線の分線同士の接続部分を露出ボックスで覆うので、接続部分の強度が相対的に向上する。
【発明の効果】
【００１１】
本発明によれば、ヒータ装置から引き出された電線について、ヒータ装置から熱が伝達されて熱応力により断線しても、取り替える必要があるのは、当該ヒータから引き出される電線の分線のみで済み、電源から引き出される電線の分線は交換しなくても良いので、ヒータから電源までの電線の全てを交換する場合に比し、電線の交換コストの削減を図ることができる。また、断熱ケーブルは、例えば銅線をテフロン（登録商標）から成るシースで収納するものであるのに対し、絶縁電線には、例えばＩＶ線（６００Ｖビニル絶縁電線）が用いられるので、ヒータ装置に近い電線の分線について断熱性を維持しつつ電線全体としては高価な断熱ケーブルの割合を小さくすることができ、コスト削減をより一層図ることができる。
【発明を実施するための最良の形態】
【００１２】
以下、この発明の実施形態の最良の形態について図面により説明する。
【００１３】
図１において、この発明が用いられる真空ポンプ装置１の一例が示されている。この真空ポンプ装置１は、発電プラント（図示せず）の一部を構成する復水器２から空気を抜いて復水器２内を真空にするためのものである。
【００１４】
真空ポンプ装置１は、エジェクタ３、気液分離器８、及び循環ポンプ９を適宜配管接続してなる循環路１０と、エジェクタ３及び復水器２を配管接続してなる吸気路１１と、一方端側を気液分離器８と接合し他方端を図示しないが排気筒等の外部と配管接続してなる排気路１２とを有して構成されている。この実施形態では、吸気路１１の途上にエジェクタ３に送出する空気量を開閉動作により調整するための入力弁１３が設けられている。
【００１５】
エジェクタ３は、主に水から成る流体の入力ポ―トを形成するノズル４と、ノズル４の先端側及び側方にて画成された吸込室５と、この吸込室５に対しノズル４の側方に設けられた制御ポ―ト６と、水と空気との混合体から成る流体の出力ポ―トを形成するディフュ―ザ７とで構成されている。制御ポート６は吸気路１１と接続されている。また、気液分離器８は、混合流体を気体と液体とに分離するためのもので、気層部分は排気路１２と接続され、液層部分は循環路１０の循環ポンプ９側と接続されている。
【００１６】
これにより、循環ポンプ９を駆動して気液分離器８の液層部分から水をエジェクタ３に供給することにより、エジェクタ３のノズル４から水が吸込室５に向けて噴出されるので、入力弁１３を開放している場合には、その際に生ずる吸引作用により、復水器２内の空気が吸気路１１から制御ポート６を介して吸込室５内に吸引される。そして、吸込室５内でノズル４からの水と復水器２からの空気とは混合されて、この混合流体は、気液分離器８まで送られ、ここで水と空気とに再分離され、水は気液分離器８内に一時的に貯蔵され、空気は排気路１２を経由して外部に排出される。以上の作用により、復水器２から空気が吸い出されて復水器２内を真空とすることができる。
【００１７】
一方、エジェクタ３のディフューザ７は、内部の凍結を防止するためにヒータ装置１５をその外部に有している。このヒータ装置１５は、図３及び図４に示されるように、ディフューザ７の外面に密着して配された２枚のプレート状部材１６、１７と、このプレート状部材１６、１７の双方をディフューザ７の径方向外側から更に包む筒状部材１８とを有している。プレート状部材１６とプレート状部材１７とは、電気によって加熱する素材、例えば銅等が用いられているもので、所定の間隔をディフューザ７の軸方向に沿って２つ形成するかたちでディフューザ７の外面に巻かれている。筒状部材１８は、電気を通さない素材から成るもので、下記する端子１９、２０を外部に突出させるための通孔２１が形成されている。そして、筒状部材１８は、長方形状のプレートを用い、その長手方向の両端をビス等で連結することにより筒状に構成したものでも良い。
【００１８】
これらプレート状部材１６、１７の前記間隔を空けて対向する縁部の近傍部位には端子１９、２０が各々突出形成されており、一方の端子１９、２０は、ナット２２、２３で挟持されるように圧着端子２４、２４を装着し、この圧着端子２４、２４を電線の断熱ケーブル２５で接続することで、電気的に接続されている。これに対し、他方の端子１９、２０は、ナット２２、２３で挟持されるように圧着端子２４、２４を装着しているが、これらの圧着端子２４、２４は後述する電線２７、２８と接続されている。尚、各々の端子１９、２０及びこれらに外挿したナット２２、２３、圧着端子２４の組み付け体は、カバー２６により覆われている。
【００１９】
そして、電線２７、２８の圧着端子２４と反対側は、電源２９と接続されており、この実施形態では、この電線２７の途上に電源２９をＯＮ／ＯＦＦするためのスイッチ３０を有している。これにより、ヒータ装置１５は、電源２９を投入することにより電気が供給されて加熱し、ディフューザ７を保温するため、冬季等におけるディフューザ７の凍結を防止することが可能である。
【００２０】
電線２７、２８は、この実施形態では、圧着端子２４から引き出される断熱ケーブル等からなる分線２７Ａ、２８Ａと、電源２９から引き出される絶縁電線からなる分線２７Ｂ、２８Ｂとを露出ボックス３４内にて接続して構成されている。断熱ケーブルたる分線２７Ａ、２８Ａについて概説すると、特に図示しないが、銅線を例えばテフロン（登録商標）から成るシースで収納する構成となっている。また、絶縁電線たる分線２７Ｂ、２８Ｂについて概説すると、ＩＶ線（６００Ｖビニル絶縁電線）にあっては、特に図示しないが、銅線を例えばビニルから成る絶縁体で覆った構成となっている。
【００２１】
これら分線２７Ａ、２８Ａと分線２７Ｂ、２８Ｂとの接続について図５を用いてより具体的に説明すると、分線２７Ａ、２８Ａを内部に挿入するための挿入孔３１と、分線２７Ａ、２８Ｂを内部に挿入するための挿入孔３２と、その内部の壁面から内側に向けて突出形成された２つの接続端子３３とを有する露出ボックス３４が用いられるもので、分線２７Ａ、２８Ａを露出ボックス３２内に挿入すると共に分線２７Ｂ、２８Ｂを露出ボックス３２内に挿入し、分線２７Ａ、２８Ａの端部に設けられた圧着端子３５を接続端子３３に外挿すると共に分線２７Ｂ、２８Ｂの端部に設けられた圧着端子３６を接続端子３３に外挿する。そして、これらの圧着端子３５、３６は、予め外挿されていたナット３７と最後に外挿されるナット３８とにより、接続端子３３の軸方向にて挟持されることで固定されるものとする。
【００２２】
以上によれば、電線２７、２８のうち分線２７Ａ、２８Ａがヒータ装置１５から圧着端子２４を介して熱が伝達されて熱応力により断線しても、この分線２７Ａ、２８Ａを交換すれば良く、分線２７Ｂ、２８Ｂについては交換しなくても良いので、電線２７、２８の交換コストの削減を図ることができる。しかも、このコスト削減のための改良は、一本の断熱ケーブルからなる電線の代わりに、分線２７Ａ、２７Ｂから成る電線２７と、分線２８Ａ、２８Ｂから成る電線２８と、分線２７Ａと分線２７Ｂ及び分線２８Ａと分線２８Ｂとの接続部分を覆う露出ボックス３４とを用いるのみであるので、改良は簡易で済み改良のためのコストは低く抑制することができる。
【図面の簡単な説明】
【００２３】
【図１】図１は、復水器真空ポンプ装置の構成の一例を示す概略図である。
【図２】図２は、この発明に係るヒータと電源との間の配線構造を示す概略図である。
【図３】図３は、この発明に係るヒータと電源との間の配線構造を示す具体的構成図である。
【図４】図４は、ディフューザの外部に配されたヒータ装置の構成を示す断面図である。
【図５】図５は、露出ボックスの内部における電線の分線の接続構造を示す一部破断図である。
【図６】図６は、従来のヒータと電源との間の配線構造を示す概略図である。
【符号の説明】
【００２４】
１  真空ポンプ装置
２  復水器
３  エジェクタ
４  ノズル
５  吸込室
６  制御ポート
７  ディフューザ
８  気液分離器
９  循環ポンプ
１０  循環路
１１  吸気路
１２  排気路
１３  入力弁
１５  ヒータ装置
２４  圧着端子
２５  断熱ケーブル
２７  電線
２７Ａ  分線（断熱ケーブル）
２７Ｂ  分線（絶縁電線）
２８  電線
２８Ａ  分線（断熱ケーブル）
２８Ｂ  分線（絶縁電線）
２９  電源
３０  スイッチ
３４  露出ボックス
３５  圧着端子
３６  圧着端子
【図１】
0004822893.tif 000002
【図２】
0004822893.tif 000003
【図３】
0004822893.tif 000004
【図４】
0004822893.tif 000005
【図５】
0004822893.tif 000006
【図６】
0004822893.tif 000007